(57)【要約】【課題】汚染された土壌をコンクリートに封入して汚染物の溶出を抑えた汚染土壌封入コンクリート製品を提供する。【解決手段】コンクリート製品の外装形状に沿って形成された中空の外装容器又はコンクリート製品の型枠の内部に、汚染物を含有する汚染土壌と、セメントと、水とを混入すると共に、前記汚染物の溶出を抑えるために、硼珪酸系ガラス玉もしくは硼珪酸系ガラス粉末、およびまたは貝殻粉末と、柑橘類の果実の皮の搾り汁もしくは柑橘類の果実の皮の粉末と、ゼオライトとを混入してなることを特徴とする汚染土壌封入コンクリート製品。【選択図】図３
0003171956.tif 000002
【実用新案登録請求の範囲】
【請求項１】
コンクリート製品の外装形状に沿って形成された中空の外装容器又はコンクリート製品の型枠の内部に、
充填原料として、
汚染物を含有する汚染土壌と、セメントと、水とを混入すると共に、
前記汚染物の溶出を抑えるために、硼珪酸系ガラス玉もしくは硼珪酸系ガラス粉末、貝殻粉末、柑橘類の果実の皮の搾り汁もしくは柑橘類の果実の皮の粉末、ゼオライトとからなる群のなかの１つ以上を混入してなることを特徴とする汚染土壌封入コンクリート製品。
【請求項２】
コンクリート製品の外装容器用の型枠を用いて、セメントに水と硼珪酸系ガラス玉または硼珪酸系ガラス粉末を混入して成型したコンクリート製の外装容器を形成してなることを特徴とする請求項１に記載の汚染土壌封入コンクリート製品。
【請求項３】
コンクリート製品用の型枠またはコンクリート製品の外装容器用の型枠内に組み立てられた鉄筋に沿って硼珪酸系ガラス粉末入りゴムシートまたは硼珪酸系ガラス粉末入りシリコーンシートを取り付けてコンクリート製品の外装部分としたことを特徴とする請求項１に記載の汚染土壌封入コンクリート製品。
【請求項４】
前硼珪酸系ガラス粉末が、シリコーン系接着剤で被覆されていることを特徴とする請求項１または２に記載の汚染土壌封入コンクリート製品。
【請求項５】
前記硼珪酸系のガラス粉末がシリコンシートその他のゴムシートに混入されていることを特徴とする請求項１または２に記載の汚染土壌封入コンクリート製品。
【請求項６】
汚染土壌に、竹炭の粉末を混入してなることを特徴とする請求項１から５のいずれかに記載の汚染土壌封入コンクリート製品。
【考案の詳細な説明】
【技術分野】
【０００１】
この考案は、下水汚染汚泥や塩水害を受けた汚染土壌、更には低レベル放射線（セシウム等）で汚染された土壌を封入し、有害物質の溶出を抑えた安全なコンクリート製品に関する。
【背景技術】
【０００２】
従来、下水の末端処理場からでる重金属を含んだ汚泥や、塩水害を受けた土壌、更には、低レベルの放射線（セシウム等）が含有された土壌などが膨大な量となり、その安全な処理が望まれているが、未だに有効な方策が無いのが現状であり、これらを安全に処理する技術開発が待たれている。
一方で、貝殻を用いて土壌を改善する発明として、特開２００９−３９６１６号では、土壌中に存在する汚染有機化合物を分解する微生物の増殖を向上させるために、土壌中に貝殻やその破砕物を添加する構成が開示されている。
しかし、貝類は、本来、海水中に溶けている微量な重金属を摂取しており、１０ＰＰＭほどのアルキル基付重金属を体内に保留してウロから排出するメカニズムを有している。
そして、本考案者は、貝殻に含まれている成分や付着しているバクテリアが重金属を吸着して不溶化させ、かつ結合力を生みだす性質があることを発見し、本考案を完成するに至った。
一方、特開２００５−２５４７２３では、貝殻粉砕物を細骨材の一部として使用した貝殻混和コンクリートが知られているが、これは貝殻粉砕物を細骨材の代わりに使用するだけであり、汚染物溶出防止の機能については一切配慮していない。  
また、最近では、低レベル放射能などによる汚染土壌の処理が問題となっているが、低レベル放射能の放出を抑えた汚染土壌の簡便な処理については未だ有効な方法は提案されていない。
【先行技術文献】
【特許文献】
【０００３】
【特許文献１】特開２００９−３９６１６号公報
【特許文献２】特開２００５−２５４７２３公報
【考案の概要】
【考案が解決しようとする課題】
【０００４】
この考案は、上記事情に鑑みて創案されたものであって、その主たる課題は、コンクリートに汚染土壌を混入したコンクリート製品において、低レベル放射能などの有害物質の放出や溶出をおさえたコンクリート製品を提供することにある。
【課題を解決するための手段】
【０００５】
この考案は、上記課題を解決するために、請求項１の考案では、
コンクリート製品の外装形状に沿って形成された中空の外装容器又はコンクリート製品の型枠の内部に、
充填原料として、
汚染物を含有する汚染土壌と、セメントと、水とを混入すると共に、
前記汚染物の溶出を抑えるために、硼珪酸系ガラス玉もしくは硼珪酸系ガラス粉末、貝殻粉末、柑橘類の果実の皮の搾り汁もしくは柑橘類の果実の皮の粉末、ゼオライトとからなる群のなかの１つ以上を混入してなることを特徴とする。
請求項２の考案では
前記コンクリート製品の外装容器用の型枠を用いて、セメントに水と硼珪酸系ガラス玉または硼珪酸系ガラス粉末を混入して成型したコンクリート製の外装容器を形成してなることを特徴とする。
請求項３の考案では
前記コンクリート製品用の型枠またはコンクリート製品の外装容器用の型枠内に組み立てられた鉄筋に沿って硼珪酸系ガラス粉末入りゴムシートまたは硼珪酸系ガラス粉末入りシリコーンシートを取り付けてコンクリート製品の外装部分としたことを特徴とする。
請求項４の考案では
前記硼珪酸系ガラス粉末が、シリコーン系接着剤で被覆されていることを特徴とする。
請求項５の考案では
前記硼珪酸系のガラス粉末がシリコンシートその他のゴムシートに混入されていることを特徴とする。
請求項６の考案では
前記汚染土壌に、竹炭の粉末を混入してなることを特徴とする。
【考案の効果】
【０００６】
コンクリート製品は、コンクリート製品の外装形状に沿った外装容器またはコンクリート製品の型枠内に、汚染土壌と、セメントと水とを混入し、同時に、汚染物の溶出を抑えるために、硼珪酸系ガラス玉もしくは硼珪酸系ガラス粉末、貝殻粉末、柑橘類の果実の皮の搾り汁もしくは柑橘類の果実の皮の粉末、ゼオライトとからなる群のなかの１つ以上を混入して充填原料とし、汚染土壌を封入したコンクリート製品を成型することができる。
また、コンクリート製品の外装容器をセメントと水と硼珪酸系ガラス玉もしくは硼珪酸系ガラス粉末で形成し、その内部に充填原料を注入して硬化させるので確実に低レベル放射能などの汚染物の溶出を抑えることができる。
硼珪酸系ガラス玉または粉末はシリコーン系接着剤で被覆したり、ゴムシートシリコーンシートに混入したりすることで外部への溶出を抑えることができる。
汚染土壌に、低レベル放射能の他に、重金属や塩害などの汚染物が含まれている場合には、貝殻粉末、柑橘類の皮の搾り汁又は柑橘類の皮の粉末、ゼオライトなどが、これらの汚染物の溶出を抑えることができる。
柑橘類の果実の皮の搾り汁又は柑橘類の皮を混入することで、抗菌性と共に、貝殻やゼオライト中の成分が機能しやすい環境にｐＨを調整することができ、また柑橘油により汚染物質の溶出を抑えることができる。
また、竹炭の粉末を混入すれば、嫌気的な環境内での腐敗を防いだり有害物質や悪臭を吸収させたりすることができる。  
【図面の簡単な説明】
【０００７】
【図１】実施例１の護岸ブロックの外装容器用型枠の使用状態を示す断面図である。
【図２】護岸ブロックの外装容器を示す断面図である。
【図３】外装容器に充填原料を充填する作業を示す模式図である。
【図４】汚染土壌を封入した護岸ブロックの正面図である。
【図５】実施例２の消波ブロックの外装容器を示す断面図である。
【図６】実施例３の消波ブロック用型枠を示す断面図である。
【図７】消波ブロック用型枠に充填原料を振動させながら充填する作業を示す模式図である。
【図８】汚染土壌を封入した消波ブロックの正面図である。
【考案を実施するための形態】
【０００８】
以下に、この考案の汚染土壌封入コンクリート製品の好適実施例について説明する。
【実施例１】
【０００９】
実施例１では、低レベル放射線セシウム入りの汚染土壌封入コンクリート製品として図４に例示する護岸ブロック１に適用した場合を説明する。
汚染土壌封入コンクリート製品としての護岸ブロック１について説明する。
まず、護岸ブロック１の外装容器２を形成する（図２参照）。
外装容器２は、まず、図１に示すように、護岸ブロック１の輪郭形状に合わせて鉄筋１０を組立て、該鉄筋１０を外装容器用型枠３の内部にセットする。
【００１０】
ここで、前記鉄筋１０は、通常の護岸ブロックに用いる鉄筋の径の約２倍の太さのものを用いている。
そして、外装容器用型枠３内に、セメント１に対して硼珪酸系のガラスの粉末又は玉（顆粒）２の割合で混合し水を混ぜて十分に撹拌、混練して外装原料とする。
この外装原料を注入機６により外装容器用型枠３内に注入し、これを固化する。
固化後に、前記外装容器用型枠３を分解して外し、図２に示すように、上部に開口を有した中空構造からなる強固な護岸ブロックの外装容器２を成型する。
【００１１】
次いで、低レベルの放射線で汚染された土壌と、該土壌とほぼ同じ割合の硼珪酸系のガラスの粉末乃至玉（顆粒）と、セメントとを混合し、水を適量混ぜて十分に撹拌、混練して充填原料とする。
また、前記外装容器２は、図３に示すように、振動装置４の振動台５上に載置され、該振動台５に図示省略の固定手段で一体に固定される。
【００１２】
振動台５上の外装容器２の上部には、アジテータ・トラック（生コン車）などに接続された注入機６が配置され、該注入機６を介して前記充填原料を外装容器２内に注入することができる。
そこで、前記振動台５を介して外装容器２を振動させながら、前記充填原料を外装容器２の内部中空に隙間無く隅々まで確実に充填し、硬化させる。
これによって、図４に示すような汚染土壌封入の護岸ブロック１を成型することができる。
【００１３】
前述のように鉄筋１０は、通常の２倍の径のものを用いており、積み重ね時などの外圧による衝撃や外圧（割れ）耐用の対策とすることができ、必要に応じて鉄筋の径を増減したり、鉄筋の網目の幅を縮小したりして調整してもよい。
【００１４】
本実施例１で用いる硼珪酸系のガラスの粉末や玉（顆粒）に対しては、その外面にシリコーンボンド液を吹き付け若しくは塗布して、硼珪酸系のガラスの外面全部を薄いシリコーン膜で被覆して、より安全な材料として使用することが好ましい。
【００１５】
上記硼珪酸系のガラスの粉末や玉（顆粒）に代えて、硼珪酸系のガラスの粉末を混入したゴムシート片やシリコーンシート片を混入してもよい。
これによりホウ素の溶出を防ぐことができる。
シート片の大きさは特に限定されないが、本実施例では１〜２ｍｍ程度の細片状のものを用いた。
【００１６】
上記実施例１の充填原料として、汚染された土壌が、低レベルの放射線で汚染された土壌だけでなく、重金属入りの汚泥を含む場合には、前記土壌と等しい重量又は少なくとも低レベルの放射線で汚染された土壌とほぼ同じ重量の硼珪酸系のガラスの粉末乃至玉（顆粒）と、これら土壌の約２倍のセメントとを混合し、水を適量混ぜ合わせ、その混合液中に、前記土壌とほぼ等量の貝殻の粉末と、ゼオライトと、柑橘皮の搾り液を混合し、十分に撹拌、混練して充填原料としてもよい。
【００１７】
悪臭が有る場合には、更に竹炭の粉末を混入する。
これにより、低レベルの放射線で汚染された土壌だけでなく、重金属入りの汚泥であっても安全に封入した護岸ブロック等のコンクリート製品を成型することができる。
なお、充填原料の充填後は、外装容器２の開口を密封するために、別途、外装原料で成型しておいた密封蓋７（図３参照）を嵌め込んで、一体に固着し、密封して護岸ブロック１が完成する。
【実施例２】
【００１８】
実施例１ではコンクリート製品として護岸ブロック１を例示したが、消波ブロック、漁礁などのコンクリート製品であってもよい。
消波ブロックの場合も、前記実施例１と同様に、外装容器用型枠（図示せず）を用いて外装原料を注入し、図５に示すように、中空体からなる消波ブロックの外装容器２’を形成し、その外装容器２’の中空体の内部に前記充填原料を充填すればよい。
符号１０は、消波ブロック用の鉄筋である。
その他の構成は前記実施例１と同様であるので、その説明を省略する。
【実施例３】
【００１９】
前記実施例では、外装容器を用いたが、外装容器を用いなくてもよい。
実施例３では、低レベルの放射線や重金属等で汚染された土壌を封入したコンクリート製品として消波ブロック１’に適用した異なる実施例２を説明する。
この場合は、外装容器用型枠を用いず、直接に護岸ブロック等のコンクリート製品成型用の分解可能な消波ブロック用型枠１３（図６参照）を用いる。
【００２０】
まず、消波ブロック用型枠１３内には、適宜の隙間を空けて消波ブロックの外周形状に沿って鉄筋１０’を組み立てる。
そして、該鉄筋１０’の内側に、硼珪酸系のガラスの粉末を混入した幅広のゴムカバーシート１１を内側に敷設する。
ゴムカバーシート１１は１枚ものでもよいし、複数枚を重ね合わせたものや繋ぎ合わせたものでもよい。
ゴムカバーシートに代えてシリコーンカバーシートでもよい。
【００２１】
このゴムカバーシート１１は、充填原料の注入に際して鉄筋１０’から外れないように鉄筋１０’に仮留め又は固定して被覆することが好ましい。
これにより、前記ゴムカバーシート１１は、鉄筋１０’の内側の外装に内側部分（本考案では「外装部分」という。）を一連に覆って密封することができる。
【００２２】
充填原料として、低レベルの放射線で汚染された土壌と、該土壌とほぼ同じ重量の硼珪酸系のガラスの粉末乃至玉（顆粒）と、セメントとを混合し、水を適量混ぜて十分に撹拌、混練して充填原料とする。
【００２３】
また、低レベルの放射線で汚染された土壌だけでなく、重金属などの汚染物質の入った土壌を封入する場合には、前記硼珪酸系のガラスの粉末乃至玉（顆粒）の他に、これら土壌の約２倍のセメントを混合し、水を適量混ぜ合わせ、その混合液中に、前記土壌とほぼ等量の貝殻の粉末と、ゼオライトと、柑橘類の果実の皮の搾り液を混合し、十分に撹拌、混練して充填原料とする。
悪臭が有る場合には、更に竹炭の粉末を混入する。
そして、前記消波ブロック用型枠１３を直接に振動装置４の振動台５に載置し、図示しない固定手段で固定する（図７参照）。
【００２４】
振動台５上の消波ブロック用型枠１３の上部には、前記実施例１と同様に注入機６が配置される。
そこで、前記振動台５を介して消波ブロック用型枠１３を振動させながら、前記充填原料を消波ブロック用型枠１３の内部空間に隙間無く隅々まで確実に充填し、硬化させる。
【００２５】
これによって、図８に示すような汚染土壌封入の消波ブロック１’を成型することができる。
消波ブロック用型枠１３は、開口部を持たない密閉可能な構造でもよいが、開口を形成する場合には、前記実施例１と同様に密閉蓋７を別途形成しておいて、これにより開口を密閉するようにしてもよい。
【００２６】
製作段階では、放射線防御用の作業ユニホームを用いてもよいが、量産化に際しては作業員の安全のため、型枠内への封入までの作業には、ロボットによる自動装置化にすることが好ましい。
【００２７】
更に、成型されたコンクリート製品に対する放射線の測定値の検査は、奇数の検査員がそれぞれ放射線計量器にて測定し、測定したコンクリート製品の製品番号と、測定記録（製品名と製造No.、測定期日、時間、測定人名、測定値などの記録）を前記奇数の検査員の各自が記録簿に記録して所定期間保管する。
【００２８】
製品化されたものは安全第一を重点に精度の高い放射線測定器（ガイガーカウンター）による検査を、公共機関の職員により測定し、その測定結果が国の定めた安全基準値以下であれば、その認定を受け合格品として製品を出荷する。
【００２９】
この考案で製作しうるコンクリート製品の形状や構造、用途は前記実施例に限定されるものではなく、素材としてセメントを用いる製品であればよく、また漁礁など海水中に設置するものであってもよい。
その他、要するにこの考案の要旨を変更しない範囲で種々設計変更しうること勿論である。
【符号の説明】
【００３０】
１    護岸ブロック
１’  消波ブロック
２    外装容器
３、３’外装容器用型枠
４    振動装置
５    振動台
６    注入機
７    密封蓋
１０、１０’鉄筋
１１    ゴムカバーシート
１３    消波ブロック用型枠
【図１】
0003171956.tif 000003
【図２】
0003171956.tif 000004
【図３】
0003171956.tif 000005
【図４】
0003171956.tif 000006
【図５】
0003171956.tif 000007
【図６】
0003171956.tif 000008
【図７】
0003171956.tif 000009
【図８】
0003171956.tif 000010